(57)【特許請求の範囲】
【請求項１】
処理の選択や紙幣の金種及び金額等を入力する入力部と、紙幣を投入する投入部と、この投入部から供給される紙幣の金種等の鑑別及び金種毎の計数を行う鑑別部と、鑑別計数後の紙幣を一時保留する一時保留部と、装置正面に設けられ紙幣を金種別に集積して返却する返却部と、入金する紙幣を収納するカセットとを備え、
紙幣の計数及び返却と入金とに分けて処理する場合は、前記入力部で返却する紙幣の金種、金額を入力させ、
前記一時保留部に保留された紙幣のうち、前記入力部から入力された金種、金額分の紙幣を前記返却部に送って金種別に集積して返却すると共に、それ以外の紙幣を前記カセットに送って収納することを特徴とする紙幣処理装置。
【請求項２】
請求項１記載の紙幣処理装置において、
前記入力部で処理の取消が入力された場合は、前記一時保留部に保留された紙幣を前記投入部に戻すことを特徴とする紙幣処理装置。
【請求項３】
請求項１記載の紙幣処理装置において、
前記返却部は紙幣を集積する部位であって、処理する紙幣の金種より１つ少ない数だけ設けられ、
紙幣を返却する場合、１金種の紙幣を一時保留部から投入部に戻し、残りの金種の紙幣を返却部に送って金種別に集積して返却することを特徴とする紙幣処理装置。
【請求項４】
紙幣を投入する投入部と、この投入部から供給される紙幣の金種等の鑑別及び金種毎の計数を行う鑑別部と、鑑別計数後の紙幣を一時保留する一時保留部と、装置正面に設けられ紙幣を金種別に集積して返却する返却部と、入金する紙幣を収納するカセットとを備え、
前記返却部は処理する紙幣の金種より１つ少ない数だけ設けられ、
前記一時保留部に保留された紙幣を返却する場合、１金種の紙幣を一時保留部から投入部に戻し、残りの金種の紙幣を返却部に送って金種別に集積して返却することを特徴とする紙幣処理装置。
【発明の詳細な説明】
【技術分野】
【０００１】
本発明は、スーパーマーケットやコンビニエンスストア等の小売店で使用される貨幣処理装置として利用される紙幣処理装置に関するもので、特にレジスターから回収される紙幣の計数や入金処理等を行う紙幣処理装置に関するものである。
【背景技術】
【０００２】
従来のこの種の貨幣処理装置は、レジスターから回収した小売店の売上金の貨幣を硬貨投入部および紙幣投入部に投入して操作表示部のスタートキーを押すと、硬貨及び紙幣はそれぞれ繰出し部から１枚ずつ鑑別部に繰出されて、各々鑑別部で異常と鑑別された硬貨及び紙幣はそれぞれリジェクト部へリジェクトされ、正常と鑑別された硬貨及び紙幣は一時集積部に集積されてその金額が表示部に表示された後、確認キーが押されると硬貨カセット及び紙幣カセットにそれぞれ取り込まれるようになっている（例えば、特許文献１参照）。
【特許文献１】特開平０６−２６６９６３号公報（段落「００１２」、図２、図６）
【発明の開示】
【発明が解決しようとする課題】
【０００３】
しかしながら、上述した従来の装置では、投入した貨幣（紙幣及び硬貨）はすべて入金処理するような構成になっているため、実際の売上金以外の釣銭準備金も含まれているとき、実際の売上金額分のみの入金処理時、またはレジスターの操作者の交代時等に、操作者が担当したジスターの貨幣を計数して返却させる処理をしたい場合、更には計数した貨幣を金種別に分けて返却を行わせたい場合、その要求に応えることができず、柔軟な運用ができないという問題がある。
【０００４】
本発明は、このような問題を解決することを課題とする。
【課題を解決するための手段】
【０００５】
そのため、本発明の紙幣処理装置は、処理の選択や紙幣の金種及び金額等を入力する入力部と、紙幣を投入する投入部と、この投入部から供給される紙幣の金種等の鑑別及び金種毎の計数を行う鑑別部と、鑑別計数後の紙幣を一時保留する一時保留部と、装置正面に設けられ紙幣を金種別に集積して返却する返却部と、入金する紙幣を収納するカセットとを備え、紙幣の計数及び返却と入金とに分けて処理する場合は、前記入力部で返却する紙幣の金種、金額を入力させ、前記一時保留部に保留された紙幣のうち、前記入力部から入力された金種、金額分の紙幣を前記返却部に送って金種別に集積して返却すると共に、それ以外の紙幣を前記カセットに送って収納することを特徴とする。
【発明の効果】
【０００６】
このようにした本発明は、貨幣の入金のみでなく、計数した貨幣を金種別に装置正面の返却部に送って金種別に集積して返却できるようにしているため、レジスター等から回収した貨幣の多様な処理が可能となり、柔軟な運用が可能になるという効果が得られる。
【発明を実施するための最良の形態】
【０００７】
以下、図面を参照して本発明による紙幣処理装置の実施例を説明する。尚、ここでは硬貨の処理も行う貨幣処理装置を例にして説明する。
【実施例】
【０００８】
図１は本発明の実施例による貨幣処理装置の外観を示す斜視図である。
図において１は貨幣処理装置の筐体で、この筐体１の正面片側（左側）には、上から中央にかけて、操作表示部（入力部・表示部）４０、紙幣挿入部（投入部）４、紙幣リジェクト部５、計数紙幣返却部６ａ〜６ｄが設けられ、これらと隣り合うように筐体１の正面他側（右側）には、上から中央にかけてカードリーダ４１、硬貨ホッパ部（投入部）１１、硬貨リジェクト部１５、計数硬貨返却部１８が設けられている。
【０００９】
ここで、操作表示部４０はタッチパネル式の表示部と、該表示部の横に配置されたテンキー、スタートキー、確認キー、取消キー等から成るキー部により構成されており、タッチパネルは処理モード等の選択等に用いられるものとなっている。
カードリーダ４１は操作者のＩＤカードを受け入れてカード情報を読み取るためのもので、読み取られたカード情報は操作履歴等の記録に利用されるが、これについては本発明と直接関係がないので、以後の説明ではＩＤカードおよびカードリーダ４１には言及しないものとする。
【００１０】
紙幣挿入部４は各金種の紙幣を一括して挿入セットする部位で、紙幣挿入部４の奥には紙幣を一枚ずつ分離して筐体１内の搬送路に繰出す図示しない分離繰出し部が設けられており、また硬貨ホッパ１１の底部にも硬貨を一枚ずつ分離して筐体１内の搬送路に繰出す図示しない分離繰出し部が設けられている。
紙幣リジェクト部５は筐体１内に設けられた紙幣鑑別部により金種不明等と鑑別されたリジェクト紙幣を集積する部位で、その隣に位置する硬貨リジェクト部１５は筐体１内に設けられた硬貨鑑別部により金種不明等と鑑別されたリジェクト硬貨を集積する部位である。
【００１１】
計数紙幣返却部６ａ〜６ｄは、前記紙幣鑑別部の金種鑑別により金種が確定した紙幣を金種別に集積する部位で、この計数紙幣返却部６ａ〜６ｄは紙幣リジェクト部５と共に筐体１正面で開口しており、透明樹脂等による簡易な扉が開閉可能に設けられている。
計数硬貨返却部１８は前記硬貨鑑別部の金種鑑別により金種が確定した硬貨を金種別に集積する部位で、引き出し状の構造に形成され、各金種毎に硬貨を分離して収納できるように仕切られた複数の硬貨収納部を有している。
【００１２】
１０は筐体１の底部片側に設けられた紙幣収納カセット、２１は筐体１の底部他側に設けられた硬貨収納カセットで、この両カセット８と２１は筐体１の正面下部に設けられた前扉４５を開くことで引き出せるようになっている。この前扉４５は電磁ロック可能な構造として所定の係員操作により電磁ロックを解除するものとする。
図２は実施例の制御系を示すブロック図で、２は紙幣処理機、３は硬貨処理機である。
【００１３】
紙幣処理機２には、前記紙幣挿入部４、紙幣リジェクト部５、計数紙幣返却部６ａ〜６ｄ、紙幣収納カセット１０の他、紙幣鑑別部８、及び紙幣鑑別部８の金種鑑別により金種が確定した紙幣を金種混在のまま一時保留する一時保留部９が備えられている。
また、硬貨処理機３には、前記硬貨ホッパ部１１、硬貨リジェクト部１５、計数硬貨返却部１８、硬貨収納カセット２１の他、硬貨鑑別部１４、選別搬送部１６、及び硬貨鑑別部１４の金種鑑別により金種が確定した硬貨を金種別に分けて一時保留する一時保留部１７が設けられており、ここで選別搬送部１６は各金種の径に応じた複数の選別穴を有し、各穴から対応した金種の硬貨を一時保留部１７に落下させて金種別に集積させるように構成され、更に一時保留部１７は硬貨を金種別のまま計数硬貨返却部１８または硬貨収納カセット２１に投出して収納させる構造となっている。
【００１４】
尚、硬貨収納カセット２１は一時保留部１７から投出される硬貨を金種混在で収納するものでよい。
３０は制御部で、図示しない記憶部に格納された制御プログラム（ソフトウェア）に基づいて紙幣処理機２、硬貨処理機３、操作表示部４０、及びカードリーダ４１を含む貨幣処理装置全体の動作の制御を行うものとなっている。
【００１５】
上述した構成の作用について説明する。
尚、以下の説明における各部の動作は、上述したように記憶部に格納された制御プログラムに基づいて制御部３０により制御されるものとする。
図３は貨幣（紙幣及び硬貨）の計数処理の手順を示すフローチャート、図４は当該計数処理における紙幣及び硬貨の流れを示す紙幣処理機２及び硬貨処理機３の概略図で、以下の説明は図３にＳで示したステップに従って行うものとする。
【００１６】
まず、操作者が操作表示部４０に表示されている初期画面（メニュー画面）を見て、タッチパネルにより計数処理モードを選択し（Ｓ１ａ）、レジスターから回収してきた紙幣を紙幣挿入部４に一括挿入してセットすると共に、硬貨を硬貨ホッパ部１１に一括して投入した後、操作表示部４０のスタートキーを押下する（Ｓ２ａ）。
これにより制御部３０は紙幣処理機２及び硬貨処理機３に計数処理を指示する。
【００１７】
この指示に基づいて紙幣処理機２でのＳ３ａ〜１１ａの処理と硬貨処理機３でのＳ１２ａ〜１９ａの処理が並行して処理が行われるが、説明の煩雑さを避けるため、ここでは紙幣処理機２の処理を先に説明し、その後硬貨処理機３の処理を説明する。
紙幣挿入部４に設けられた図示しないセンサの検知出力に基づいて制御部３０により紙幣挿入部４に紙幣が存在するか否かが判断され（Ｓ３ａ）、紙幣が存在する場合は分離繰出し部により紙幣が搬送路に１枚ずつ繰出され、繰出された紙幣が図４（ａ）の矢印Ａに示したように紙幣鑑別部８へ搬送される（Ｓ４ａ）。
【００１８】
紙幣鑑別部８では送られてきた紙幣の金種等の鑑別が行われ、正常な紙幣か否かが判断される（Ｓ５ａ）。
その結果、金種が不明な紙幣はリジェクト紙幣として図４（ａ）の矢印Ｂに示したように紙幣リジェクト部５に搬送されて集積されるが（Ｓ６ａ）、金種が確定した正常な紙幣は紙幣鑑別部８で金種毎に計数された後、図４（ａ）の矢印Ｃに示したように一時保留部９に搬送されて集積される（Ｓ７ａ）。
【００１９】
そして、紙幣挿入部４に設けられた図示しないセンサの検知出力に基づいて制御部３０により紙幣挿入部４に紙幣が存在するか否かが判断され（Ｓ８ａ）、紙幣が存在する場合は前記Ｓ４ａからの処理が繰返される。
また、紙幣が存在しないと判断された場合、搬送路に設けられた図示しないセンサの検知出力に基づいて制御部３０により搬送路に紙幣が存在するか否かが判断され（Ｓ９ａ）、紙幣が存在する場合、その紙幣が一時保留部９に集積されることで搬送路に設けられた図示しないセンサに検知されなくなるのを待ち、紙幣が搬送路に存在しないことが確認されると一時保留部９の集積動作が停止される。
【００２０】
その後、一時保留部９に設けられている図示しない分離繰出し部により、一時保留部９から紙幣が順次繰出され、搬送部により図４（ａ）の矢印Ｄに示したように紙幣鑑別部８に搬送されて金種等の鑑別と、鑑別により金種が確定した紙幣の金種毎の計数が行われる（Ｓ１０ａ）。
尚、この場合も金種が不明な紙幣はリジェクト紙幣として紙幣リジェクト部に搬送され、集積される。
【００２１】
計数された紙幣は計数紙幣返却部６ａ〜６ｄに向かって搬送され、確定した金種に応じて図４（ａ）の矢印Ｅに示したように計数紙幣返却部６ａ〜６ｄに振分けられて集積される（Ｓ１１ａ）。すなわち、図４（ａ）に示したように万円紙幣は計数紙幣返却部６ａに、五千円紙幣は計数紙幣返却部６ｂに、２千円紙幣は計数紙幣返却部６ｃに、千円紙幣は計数紙幣返却部６ｄにそれぞれ振分けられて集積される。
【００２２】
一時保留部からすべての紙幣が繰出され、計数紙幣返却部６ａ〜６ｄに集積されると搬送路等の動作が停止される。
一方、前記スタートキーの押下により、硬貨処理機３に計数処理が指示されると、硬貨ホッパ１１に設けられた図示しないセンサの検知出力に基づいて制御部３０により硬貨ホッパ１１に硬貨が存在するか否かが判断され（Ｓ１２ａ）、紙幣が存在する場合は分離繰出し部により硬貨が搬送路に１枚ずつ繰出され、繰出された硬貨が図４（ｂ）の矢印Ｆに示したように硬貨鑑別部１４へ搬送される（Ｓ１３ａ）。
【００２３】
硬貨鑑別部１４では送られてきた硬貨の金種等の鑑別が行われ、正常な硬貨か否かが判断される（Ｓ１４ａ）。
その結果、金種が不明な硬貨はリジェクト硬貨として図４（ｂ）の矢印Ｇに示したように硬貨リジェクト部１５に送られて集積されるが（Ｓ１５ａ）、金種が確定した正常な硬貨は硬貨鑑別部１４で金種毎に計数された後、図４（ｂ）の矢印Ｈに示したように選別搬送部１６に送られ、この選別搬送部１６の選別穴から金種別に一時保留部１７に落下して集積される（Ｓ１６ａ）。
【００２４】
そして、硬貨ホッパ１１に設けられた図示しないセンサの検知出力に基づいて制御部３０により硬貨ホッパ１１に硬貨が存在するか否かが判断され（Ｓ１７ａ）、硬貨が存在する場合は前記Ｓ４ｂからの処理が繰返される。
また、硬貨が存在しないと判断された場合、搬送路及び選別搬送部１６に設けられた図示しないセンサの検知出力に基づいて制御部３０により搬送路及び選別搬送部１６に硬貨が存在するか否かが判断され（Ｓ１８ａ）、硬貨が存在する場合、その硬貨が一時保留部１７に集積されることで搬送路及び選別搬送部１６に設けられた図示しないセンサに検知されなくなるのを待ち、硬貨が搬送路及び選別搬送部１６に存在しないことが確認されると搬送路及び選別搬送部１６の動作が停止される。
【００２５】
その後、金種別に一時保留部１７に集積されている硬貨がそのまま計数硬貨返却部１８に投出され、図４（ｂ）の矢印Ｉに示したように１円、５円、十円、五十円、百円、五百円の硬貨が計数硬貨返却部１８の複数の硬貨収納部に金種別に収納される（Ｓ１９ａ）。
そして、計数された紙幣の金種別の枚数、金種別の金額、及び合計金額と、硬貨の金種別の枚数、金種別の金額、及び合計金額が計数結果として操作表示部４０に表示される（Ｓ２０ａ）。
【００２６】
この表示を見て操作者は紙幣及び硬貨の計数結果を確認し、表示画面中の確認キーを押下すると、ＩＤカードが操作者に返却されて計数処理は終了するが、その際、図示しないプリンタにより計数結果が明細票にプリントされて操作者に放出される。
操作者はその明細票を受取り、また紙幣計数返却部６ａ〜６ｄから紙幣を抜き取ると共に、硬貨計数返却部１８を引き出して硬貨の抜き取りを行う。
【００２７】
尚、前記計数結果の表示において、紙幣及び硬貨の金種別の枚数及び金額は、紙幣及び硬貨が1枚計数される度に金種毎に加算して表示するような形態を取ることも可能である。
次に、操作者がレジスターから回収してきた貨幣（紙幣及び硬貨）を売上金として入金処理する場合について説明する。
【００２８】
図５は紙幣及び硬貨の入金処理の手順を示すフローチャート、図６は当該入金処理における紙幣及び硬貨の流れを示す紙幣処理機２及び硬貨処理機３の概略図で、以下の説明は図５にＳで示したステップに従って行うものとする。
まず、操作者が操作表示部４０に表示されている初期画面（メニュー画面）を見て、タッチパネルにより入金処理モードを選択する（Ｓ１ｂ）。
【００２９】
その後、Ｓ２ｂからＳ３ｂ〜Ｓ９ｂ及びＳ１０ｄ〜Ｓ１６ｂまで、前記計数処理におけるＳ２、Ｓ３ａ〜Ｓ９ａ及びＳ１２ａ〜Ｓ１８ａと同様の紙幣及び硬貨の処理が行われ、計数結果が操作表示部４０に表示される（１７ｂ）。
この計数結果を見て操作者が表示画面中に表示されている収納あるいは取消を指定する指定キーを押下すると（Ｓ１８ｂ）、制御部３０は押下された指定キーが紙幣の収納か取消かを判断する（Ｓ１９ｂ）。
【００３０】
そして、取消の場合、一時保留部９に設けられている図示しない分離繰出し部により、一時保留部９から紙幣が順次繰出され、搬送部により紙幣鑑別部８を経由して図５（ａ）の矢印Ｊに示したように紙幣挿入部４に搬送されて集積され、操作者に返却される（Ｓ２０ｂ）。
この場合、紙幣鑑別部８では紙幣の鑑別や計数は行われず、紙幣は単に通過するのみである。
【００３１】
また、金種別に一時保留部１７に集積されている硬貨はそのまま計数硬貨返却部１８に投出され、計数処理時と同様に計数硬貨返却部１８に金種別に収納されて操作者に返却される（Ｓ２２ｂ）。
一方、押下された指定キーが収納の場合、一時保留部９に設けられている図示しない分離繰出し部により、一時保留部９から紙幣が順次繰出され、搬送部により紙幣鑑別部８を経由して図５（ａ）の矢印Ｋに示したように紙幣収納カセット１０に搬送され、収納される（Ｓ２１ｂ）。
【００３２】
この場合も、紙幣鑑別部８では紙幣の鑑別や計数は行われず、紙幣は単に通過するのみである。
また、金種別に一時保留部１７に集積されている硬貨はそのまま図５（ｂ）の矢印Ｌに示したように硬貨収納カセット２１に投出され、収納される（Ｓ２３ｂ）。
そして、ＩＤカードが操作者に返却され、収納された紙幣の金種別の枚数、金種別の金額、及び合計金額と、硬貨の金種別の枚数、金種別の金額、及び合計金額が入金明細として図示しないプリンタにより明細票にプリントして操作者に放出され、入金処理は終了する。
【００３３】
尚、前記取消や収納を指定する指定キーは、紙幣と硬貨のそれぞれに対して設けてもよく、その場合、紙幣または硬貨のみを収納し、硬貨または紙幣を返却させる等の処理が可能となる。
次に、操作者がレジスターから回収してきた貨幣（紙幣及び硬貨）を例えば釣銭準備金と売上金とに仕分けして処理する場合について説明する。
【００３４】
図７は紙幣及び硬貨の仕分け処理の手順を示すフローチャート、図８は当該仕分け処理における紙幣及び硬貨の流れを示す紙幣処理機２及び硬貨処理機３の概略図で、以下の説明は図７にＳで示したステップに従って行うものとする。
まず、操作者が操作表示部４０に表示されている初期画面（メニュー画面）を見て、タッチパネルにより仕分け処理モードを選択し（Ｓ１ｃ）、レジスターから回収してきた紙幣を紙幣挿入部４に一括挿入してセットすると共に、硬貨を硬貨ホッパ部１１に一括して投入する。
【００３５】
制御部３０は表示操作部４０に金額入力の画面を表示し、操作者がこの画面に従ってテンキー等を操作して紙幣及び硬貨の釣銭準備金の金種毎の金額を入力し（Ｓ２ｃ）、入力後、スタートキーを押下すると（Ｓ３ｃ）、入力された紙幣及び硬貨の金種毎の金額が図示しないＲＡＭ等の一時記憶部に記憶される（Ｓ４ｃ）。
ここで制御部３０は紙幣処理機２及び硬貨処理機３に計数処理を指示し、この指示に基づいて紙幣処理機２でのＳ５ｃ〜Ｓ１５ｃの処理と硬貨処理機３でのＳ１６ｃ〜Ｓ２５ｃの処理が並行して行われるが、説明の煩雑さを避けるため、ここでは紙幣処理機２の処理を先に説明し、その後硬貨処理機３の処理を説明する。
【００３６】
紙幣挿入部４に設けられた図示しないセンサの検知出力に基づいて制御部３０により紙幣挿入部４に紙幣が存在するか否かが判断され（Ｓ５ｃ）、紙幣が存在する場合は分離繰出し部により紙幣が搬送路に１枚ずつ繰出され、繰出された紙幣が図８（ａ）の矢印Ａに示すように紙幣鑑別部８へ搬送される（Ｓ６ｃ）。
紙幣鑑別部８では送られてきた紙幣の金種等の鑑別が行われ、正常な紙幣か否かが判断される（Ｓ７ｃ）。
【００３７】
その結果、金種が不明な紙幣はリジェクト紙幣として図８（ａ）の矢印Ｂに示すように紙幣リジェクト部５に搬送されて集積されるが（Ｓ８ｃ）、金種が確定した正常な紙幣は紙幣鑑別部８で金種毎に計数された後、図８（ａ）の矢印Ｃに示すように一時保留部９に搬送されて集積される（Ｓ９ｃ）。
そして、紙幣挿入部４に設けられた図示しないセンサの検知出力に基づいて制御部３０により紙幣挿入部４に紙幣が存在するか否かが判断され（Ｓ１０ｃ）、紙幣が存在する場合は前記Ｓ６ｃからの処理が繰返される。
【００３８】
また、紙幣が存在しないと判断された場合、搬送路に設けられた図示しないセンサの検知出力に基づいて制御部３０により搬送路に紙幣が存在するか否かが判断され（Ｓ１１ｃ）、紙幣が存在する場合、その紙幣が一時保留部９に集積されることで搬送路に設けられた図示しないセンサに検知されなくなるのを待ち、紙幣が搬送路に存在しないことが確認されると一時保留部９の集積動作が停止される。
【００３９】
その後、一時保留部９に設けられている図示しない分離繰出し部により、一時保留部９から紙幣が順次繰出され、図８（ａ）の矢印Ｄに示すように搬送部により紙幣鑑別部８に搬送されて金種等の鑑別と、鑑別により金種が確定した紙幣の金種毎の計数が行われる（Ｓ１２ｃ）。
尚、この場合も金種が不明な紙幣はリジェクト紙幣として紙幣リジェクト部に搬送され、集積される。
【００４０】
制御部３０は紙幣が計数される毎に、その金額を前記一時記憶部に記憶されている該当金種の金額から減算して、その値が零を超えたか否かを判断し（Ｓ１３ｃ）、超えていない場合、紙幣は釣銭準備金として計数紙幣返却部６ａ〜６ｄに向かって搬送され、確定した金種に応じて図８（ａ）の矢印Ｅに示すように計数紙幣返却部６ａ〜６ｄに万円、５千円、２千円、千円に振分けられて集積される（Ｓ１４ｃ）。
【００４１】
また、減算値が零を超えた場合、紙幣は売上金として矢印Ｂに示すように紙幣リジェクト部５へ搬送されて集積される（Ｓ１５ｃ）。
一方、前記スタートキーの押下により、硬貨処理機３に計数処理が指示されると、硬貨ホッパ１１に設けられた図示しないセンサの検知出力に基づいて制御部３０により硬貨ホッパ１１に硬貨が存在するか否かが判断され（Ｓ１６ｃ）、硬貨が存在する場合は分離繰出し部により硬貨が搬送路に１枚ずつ繰出され、繰出された硬貨が図８（ｂ）の矢印Ｆに示すように硬貨鑑別部１４へ搬送される（Ｓ１７ｃ）。
【００４２】
硬貨鑑別部１４では送られてきた硬貨の金種等の鑑別が行われ、正常な硬貨か否かが判断される（Ｓ１８ｃ）。
その結果、金種が不明な硬貨はリジェクト硬貨として図８（ｂ）の矢印Ｇに示すように硬貨リジェクト部１５に送られて集積されるが（Ｓ１９ｃ）、金種が確定した正常な硬貨は硬貨鑑別部１４で金種毎に計数され、そして制御部３０は硬貨が計数される毎に、その金額を前記一時記憶部に記憶されている該当金種の金額から減算して、その値が零を超えたか否かを判断し（Ｓ２０ｃ）、超えていない場合、硬貨は釣銭準備金として図８（ｂ）の矢印Ｈに示すように選別搬送部１６に送られて、この選別搬送部１６の選別穴から金種別に一時保留部１７に落下して集積される（Ｓ２１ｃ）。
【００４３】
また、減算値が零を超えた場合、硬貨は売上金として図８（ｂ）の矢印Ｇに示すように硬貨リジェクト部１５に送られて集積される（Ｓ２２ｃ）。
その後、硬貨ホッパ１１に設けられた図示しないセンサの検知出力に基づいて制御部３０により硬貨ホッパ１１に硬貨が存在するか否かが判断され（Ｓ２３ｃ）、硬貨が存在する場合は前記Ｓ１７ｃからの処理が繰返される。
【００４４】
また、硬貨が存在しないと判断された場合、搬送路及び選別搬送部１６に設けられた図示しないセンサの検知出力に基づいて制御部３０により搬送路及び選別搬送部１６に硬貨が存在するか否かが判断され（Ｓ２４ｃ）、硬貨が存在する場合、その硬貨が一時保留部１７に集積されることで搬送路及び選別搬送部１６に設けられた図示しないセンサに検知されなくなるのを待ち、硬貨が搬送路及び選別搬送部１６に存在しないことが確認されると搬送路及び選別搬送部１６の動作が停止される。
【００４５】
その後、金種別に一時保留部１７に集積されている硬貨がそのまま計数硬貨返却部１８に投出され、図８（ｂ）の矢印Ｉに示したように１円、５円、十円、五十円、百円、五百円の硬貨が計数硬貨返却部１８の複数の硬貨収納部に金種別に収納される（Ｓ２５ｃ）。
そして、計数された紙幣の金種別の枚数、金種別の金額、及び合計金額と、硬貨の金種別の枚数、金種別の金額、及び合計金額が計数結果として操作表示部４０に表示される（Ｓ２６ｃ）。
【００４６】
この表示を見て操作者は紙幣及び硬貨の計数結果を確認し、表示画面中の確認キーを押下すると、図示しないプリンタにより計数結果が釣銭準備金と売上金とに分けて金種毎の金額及び合計額として明細票にプリントされ、操作者に放出されて仕分け処理は終了する。
操作者はその明細票を受取り、紙幣計数返却部６ａ〜６ｄから釣銭準備金として紙幣を抜き取ると共に、硬貨計数返却部１８を引き出して釣銭準備金として硬貨の抜き取りを行い、また紙幣リジェクト部５から売上金として紙幣を抜き取ると共に、硬貨リジェクト部１５から売上金として硬貨の抜き取りを行う。
【００４７】
尚、この場合も前記計数結果の表示において、紙幣及び硬貨の金種別の枚数及び金額は、紙幣及び硬貨が1枚計数される度に金種毎に加算して表示するような形態を取ることが可能である。
また、釣銭準備金の硬貨は、予め硬貨計数返却部１８の複数の硬貨収納部に小箱を装着することで、レジスターのドロワに容易に移替えることが可能である。
【００４８】
図９は小箱を装着した硬貨計数返却部１８の説明図で、４３は硬貨計数返却部１８の硬貨収納部内に装着可能とした小箱で、６金種の硬貨に対応した各硬貨収納部に設けられており、一時保留部から投出された硬貨を金種別に各小箱４２に収納し、硬貨計数返却部１８を筐体１から引出して、硬貨収納部から小箱４２を取出し、取出した小箱４２を傾けてレジスター４３のドロワ４４に硬貨を移替えるようにすることで硬貨の移替え容易に行うことが可能となる。
【００４９】
次に、操作者がレジスターから回収してきた貨幣（紙幣のみ）を例えば釣銭準備金と売上金とに仕分けして売上金を収納処理する場合について説明する。
図１０は売上金収納処理の手順を示すフローチャート、図１１は当該売上金収納処理における紙幣の流れを示す紙幣処理機２の概略図で、以下の説明は図１０にＳで示したステップに従って行うものとする。
【００５０】
まず、操作者が操作表示部４０に表示されている初期画面（メニュー画面）を見て、タッチパネルにより売上金収納処理モードを選択し（Ｓ１ｄ）、ＩＤカードをカードリーダ４１に挿入してカード情報を読み取らせる。
また、操作者はレジスターから回収してきた紙幣を紙幣挿入部４に一括挿入してセットし、また硬貨を硬貨ホッパ部１１に一括して投入する。
【００５１】
制御部３０は表示操作部４０に金各入力の画面を表示し、操作者がこの画面に従って操作表示部４０のテンキー等を操作して紙幣の釣銭準備金の金額を金種毎入力し（Ｓ２ｄ）、入力後、スタートキーを押下すると（Ｓ３ｄ）、入力された紙幣の釣銭準備金の金種毎の金額が図示しないＲＡＭ等の一時記憶部に記憶される（Ｓ４ｄ）。
続いて紙幣挿入部４に設けられた図示しないセンサの検知出力に基づいて制御部３０により紙幣挿入部４に紙幣が存在するか否かが判断され（Ｓ５ｄ）、紙幣が存在する場合は分離繰出し部により紙幣が搬送路に１枚ずつ繰出され、繰出された紙幣が図１１（ａ）の矢印Ａに示すように紙幣鑑別部８へ搬送される（Ｓ６ｄ）。
【００５２】
紙幣鑑別部８では送られてきた紙幣の金種等の鑑別が行われ、正常な紙幣か否かが判断される（Ｓ７ｄ）。
その結果、金種が不明な紙幣はリジェクト紙幣として図１１（ａ）の矢印Ｂに示すように紙幣リジェクト部５に搬送されて集積されるが（Ｓ８ｄ）、金種が確定した正常な紙幣は紙幣鑑別部８で金種毎に計数された後、図１１（ａ）の矢印Ｃに示すように一時保留部９に搬送されて集積される（Ｓ９ｄ）。
【００５３】
そして、紙幣挿入部４に設けられた図示しないセンサの検知出力に基づいて制御部３０により紙幣挿入部４に紙幣が存在するか否かが判断され（Ｓ１０ｄ）、紙幣が存在する場合は前記Ｓ６ｄからの処理が繰返される。
また、紙幣が存在しないと判断された場合、搬送路に設けられた図示しないセンサの検知出力に基づいて制御部３０により搬送路に紙幣が存在するか否かが判断され（Ｓ１１ｄ）、紙幣が存在する場合、その紙幣が一時保留部９に集積されることで搬送路に設けられた図示しないセンサに検知されなくなるのを待ち、紙幣が搬送路に存在しないことが確認されると一時保留部９の集積動作が停止される。
【００５４】
そして、計数された紙幣の金種別の枚数、金種別の金額、及び合計金額が計数結果として操作表示部４０に表示され（Ｓ１２ｄ）、この計数結果を見て操作者が表示画面中に表示されている収納あるいは取消を指定する指定キーを押下すると（Ｓ１３ｄ）、制御部３０は押下された指定キーが紙幣の収納か取消かを判断する（Ｓ１４ｄ）。
そして、取消の場合、一時保留部９に設けられている図示しない分離繰出し部により、一時保留部９から紙幣が順次繰出され、図１１（ａ）の矢印Ｃ，Ｊに示すように搬送部により紙幣鑑別部８を経由して紙幣挿入部４に搬送されて集積され、操作者に返却される（Ｓ１５ｄ）。
【００５５】
この場合、紙幣鑑別部８では紙幣の鑑別や計数は行われず、紙幣は単に通過するのみである。
一方、押下された指定キーが収納の場合、一時保留部９に設けられている図示しない分離繰出し部により、一時保留部９から紙幣が順次繰出され、図１１（ａ）の矢印Ｃに示すように搬送部により紙幣鑑別部８に搬送されて金種等の鑑別と、鑑別により金種が確定した紙幣の金種毎の計数が行われる（Ｓ１６ｄ）。
【００５６】
尚、この場合も金種が不明な紙幣はリジェクト紙幣として紙幣リジェクト部に搬送され、集積される。
制御部３０は紙幣が計数される毎に、その金額を前記一時記憶部に記憶されている該当金種の金額から減算して、その値が零を超えたか否かを判断し（Ｓ１７ｄ）、超えていない場合、紙幣は釣銭準備金として計数紙幣返却部６ａ〜６ｄに向かって搬送され、確定した金種に応じて図１１（ａ）の矢印Ｉに示すように計数紙幣返却部６ａ〜６ｄに振分けられて万円、五千円、二千円、千円の金種毎に集積される（Ｓ１８ｅ）。
【００５７】
また、減算値が零を超えた場合、図１１（ａ）の矢印Ｋに示すように紙幣は売上金として紙幣収納カセット１０へ搬送されて収納される。
この表示を見て操作者は紙幣及び硬貨の計数結果を確認し、表示画面中の確認キーを押下すると、図示しないプリンタにより計数結果が釣銭準備金と売上げとに分けて金種毎金額及び合計額として明細票にプリントされ、操作者に放出されて仕分け処理は終了する。
【００５８】
そして、一時保留部の紙幣がすべて繰出され、計数紙幣返却部６ａ〜６ｄまたは紙幣収納カセット１０内に収納されると、図示しないプリンタにより計数結果が釣銭準備金と売上金とに分けて金種毎の金額及び合計額として明細票にプリントされ、操作者に放出される。
操作者はその明細票を受取り、紙幣計数返却部６ａ〜６ｄから釣銭準備金として紙幣を抜き取る。
【００５９】
尚、この場合も、計数結果の表示において、紙幣の金種別の枚数及び金額は、紙幣が1枚計数される度に金種毎に加算して表示するような形態を取ることも可能である。
以上説明したように、本発明の実施例によれば、装置正面に各金種の紙幣を金種別に集積する計数紙幣返却部を設けると共に、各金種の硬貨を可能に金種別に収納する計数紙幣返却部を引き出し可能に設けているため、レジスターから回収した紙幣及び硬貨の入金のみでなく、計数した後金種別に仕分けして返却したり、釣銭準備金と売上金に分けて返却したり、紙幣を釣銭準備金と売上金に分けて釣銭準備金のみを返却し、売上金を装置内の収納カセットに収納したりする処理が可能となり、柔軟な運用が可能な貨幣処理装置を実現できるという効果が得られる。
【００６０】
また、計数した紙幣を金種別に集積する計数紙幣返却部は装置正面に開口させて設けているため、紙幣の抜き取り操作が容易であるという効果も得られる。
更に、硬貨や紙幣を金種別に分けた形で返却できるので、操作者が仕分けをする必要がなくなり、レジスターに釣銭準備金として収納する際の手間が省けるという効果も得られる。
【００６１】
尚、本発明は上述した実施例に限定されるものではなく、種々の変更が可能である。
例えば、上述した実施例では、万円、五千円、二千円、千円の４金種に対応するように４つの計数紙幣返却部を設けているが、計数処理や仕分け処理あるいは売上金収納処理において、４金種のうちの１つの金種の紙幣を、紙幣挿入口に戻して集積するようにすれば、計数紙幣返却部の数を減らすことができ、その分だけ小型化、低価格化を計ることが可能となる。
【００６２】
また、上述した実施例では、紙幣と硬貨を並行処理する場合について述べたが、紙幣のみ、あるいは硬貨のみをそれぞれ単独で処理できることは無論であり、その場合、紙幣については、一度計数して一時保留部に保留した後、計数処理、入金処理、仕分け処理、売上金収納処理のいずれを行なうか、あるいは金種混在で返却するかを問う表示部画面を操作表示部に表示して、金種混在で返却することが指定された場合は、一時保留部の紙幣を挿入口に戻して返却し、計数処理、入金処理、仕分け処理、売上金収納処理のいずれかのモードが指定された場合は、そのモードに対応して一時保留部の紙幣を再度金種鑑別して計数紙幣返却部に金種別に集積させたり、紙幣収納カセットに収納したりするように処理することも可能である。
【００６３】
更に、上述した実施例では、計数した紙幣を金種別に集積する計数紙幣返却部は装置正面に開口させて設けるものとしたが、計数紙幣返却部を覆う電磁ロック可能な扉を装置正面に設けて、所定の係員（権限のある操作者）の操作により電磁ロックを解除して計数紙幣返却部にアクセスできるような構造にすることも可能である。この場合、紙幣の抜き取り操作の容易性は多少失われるが、セキュリティー性は向上する。
【図面の簡単な説明】
【００６４】
【図１】実施例による貨幣処理装置の外観を示す斜視図
【図２】実施例の制御系を示すブロック図
【図３】貨幣の計数処理の手順を示すフローチャート
【図４】紙幣及び硬貨の流れを示す紙幣処理機及び硬貨処理機の概略図
【図５】貨幣の入金処理の手順を示すフローチャート
【図６】紙幣及び硬貨の流れを示す紙幣処理機及び硬貨処理機の概略図
【図７】貨幣の仕分け処理の手順を示すフローチャート
【図８】紙幣及び硬貨の流れを示す紙幣処理機及び硬貨処理機の概略図
【図９】小箱を装着した硬貨計数返却部の説明図
【図１０】売上金収納処理の手順を示すフローチャート
【図１１】売上金収納処理における紙幣の流れを示す紙幣処理機の概略図
【符号の説明】
【００６５】
１    筐体
２    紙幣処理機
３    硬貨処理機
４    紙幣挿入部
５    紙幣リジェクト部
６ａ〜６ｄ  計数紙幣返却部
８    紙幣鑑別部
９    一時保留部
１０  紙幣収納カセット
１１  硬貨ホッパ部
１４  硬貨鑑別部
１５  硬貨リジェクト部
１６  選別搬送部
１７  一時保留部
１８  計数硬貨返却部
２１  硬貨収納カセット
３０  制御部
４０  操作表示部
４２  小箱
【図１】
0004670506.tif 000002
【図２】
0004670506.tif 000003
【図３】
0004670506.tif 000004
【図４】
0004670506.tif 000005
【図５】
0004670506.tif 000006
【図６】
0004670506.tif 000007
【図７】
0004670506.tif 000008
【図８】
0004670506.tif 000009
【図９】
0004670506.tif 000010
【図１０】
0004670506.tif 000011
【図１１】
0004670506.tif 000012